(57)【要約】【課題】簡易に使用できる据え置き型の衛生薄葉紙ディスペンサーを提供する。【解決手段】  取り出し口１１Ｈを有する前板部１が前方に傾斜して設けられているディスペンサー本体部１０が、台座部２０によって据え置き可能に支持されている衛生薄葉紙ディスペンサーＸ１により解決される。【選択図】図１
2010083525.tif 000002
【特許請求の範囲】
【請求項１】
一枚のブランクシートから打ち抜かれた衛生薄葉紙ディスペンサー組立て用シート材であって、
この衛生薄葉紙ディスペンサー組立て用シート材は；
台座部底側部、台座部上側部、底板部、背板部、天面部、前板部、第１フラップがこの順に連接され、
底板部の幅方向両側のそれぞれに支持部が連接され、
天面部の幅方向両側のそれぞれに側板部が連接され、
背板部及び前板部の各幅方向両側に第２フラップが連接され、
各側板部の幅方向側に第３フラップが連接され
前板部に衛生薄葉紙の取り出し口となる取り出し口形成線を有し、
天面部に蓋部形成線を有し、
台座部底側部の幅方向両側部に第１係止部を有し、
支持部には、台座部上側部がわの縁に端を有し、その端から底板部との間の連接線から遠ざかるように直線的に延在して、その連接線に対して所定角度をなす折り線と、この折り線のよりも幅方向外方に配置された前記第１係止部に係止する第２係止部とが配され、
前記台座部上側部、底板部、背板部、天面部、前板部、第１フラップの間の各連接線を谷折りして、前記第１フラップを介して前板部と底板部とを接続し、
天面部と側板部との間の連接線を谷折りして、前記第２フラップ及び第３フラップにより、底板部、背板部、天面部及び前板部で囲まれる空間の幅方向開放部分を側板部で封止し、
かつ、前記台座部底側部が底になり前記台座部上側部が上になるようにこれらの間の連接線で山折りするとともに、前記支持部と底板部との間の連接線及び支持部の折り線を山折りし、
前記支持部の折り線よりも側方部分を前記台座部底側部に重ね合わせかつ前記折り線により形成される折り筋と台座部底側片の側縁とを当接させるように、支持部の一部で台座部底側部の側縁を巻き込むとともに、この状態において底側位置において第１係止部と第２係止部とを係止することで、
前記台座部を介して水平面上に据え置いたときに、取り出し口を有する前板部が前方に傾斜する衛生薄葉紙ディスペンサーが組立てられる、
ことを特徴とする衛生薄葉紙ディスペンサー組立て用シート材。
【請求項２】
前記第１フラップが予め底板部に対して接着されている請求項１記載の衛生薄葉紙ディスペンサー組立て用シート材。
【請求項３】
底板部と台座部上側部との間の連接線又はその近傍に第１フラップが差し込み可能な切り込み線を有する請求項１記載の衛生薄葉紙ディスペンサー組立て用シート材。
【請求項４】
取り出し口形成線は、幅方向に延在する長手線とその長手線の両端を基端として底側部に向かって延在する短手線とからなる略コ字状をなし、前記短手線の先端同士を結ぶ線を折り線として切り起こすことで、前記取り出し口の下側縁が前側に延出して延出片が形成されるように構成されている請求項１記載の衛生薄葉紙ディスペンサー組立て用シート材。
【請求項５】
前記長手線の幅方向中央部に凹部形成部が形成されている請求項４記載の衛生薄葉紙ディスペンサー組立て用シート材。
【請求項６】
蓋部形成線の一部に摘み端部又は摘み凹部が形成されている請求項１記載の衛生薄葉紙ディスペンサー組立て用シート材。
【請求項７】
ブランクシートが、板紙、段ボール、プラスチック段ボール、可塑性シートの何れかである請求項１記載の衛生薄葉紙ディスペンサー組立て用シート材。
【請求項８】
組立て後において台座部底側部を介して水平面に載置したときに、前板部と水平面との間の角度が４５〜８０度となる請求項１記載の衛生薄葉紙ディスペンサー組立て用シート材。
【請求項９】
台座部上側部から台座部底側にかけて幅方向の中央部分が刳り抜かれている請求項１記載の衛生薄葉紙ディスペンサー組立て用シート材。
【請求項１０】
請求項１〜９の何れか１項に記載の衛生薄葉紙ディスペンサー組立て用シート材の組立てにより形成されたことを特徴とする衛生薄葉紙ディスペンサー。
【発明の詳細な説明】
【技術分野】
【０００１】
本発明は、キッチンペーパー、ペーパータオル、手ふき用等の清拭用ワイプなどの衛生薄葉紙を重層した衛生薄葉紙の束を収納して、取り出し口から１枚ずつ取り出す衛生薄葉紙ディスペンサー及びこれを簡易かつ容易に組立て可能なシート材に関する。
【背景技術】
【０００２】
従来、この種の衛生薄葉紙ディスペンサーは、細部の形状は種々あるが、衛生薄葉紙の束を収納する本体とその底部に形成された取り出し口とを有し、この取り出し口から衛生薄葉紙を摘み出して、内部の束に触れずに１枚ずつ衛生的に取り出して使用可能にしたものである（特許文献１〜４等）。このディスペンサーの多くは、背面に設けられた適宜の手段により壁に設置して使用する形態を採るが、中には据え置きのものも開発されている（特許文献４等）。
【０００３】
他方、このディスペンサーに用いられる衛生薄葉紙の束は、方形の衛生薄葉紙が実質的に二つ折りされ、その折り返し片の縁が上下に隣接する衛生薄葉紙の折り返し内面に位置するようにして互い違いに重なり合うように積層されており、最下部又は最下部の一枚を取り出すと、衛生薄葉紙が有する紙特有の摩擦によって、隣接する衛生薄葉紙の折り返し片がつられて引き出されるようになっている。
【０００４】
一般的には、図７及び８に示すように、かかる衛生薄葉紙の束１００は、樹脂製の外装フィルム２００によってピロー包装等された状態で市販に供され、多くはディスペンサーを用いずに使用することも想定して、上面に直線上の開封用ミシン目線２０１が形成されていて、この開封用ミシン目線を裂開することで上面にスリット状の開封口２０１Ｓが形成され、簡易に内部の衛生薄葉紙１０１を一枚ずつ取り出せるようになっている。
特に、飲食店、総菜店、スーパーマーケットにおける厨房などにおいては、作業中に迅速に手や食料品を清拭する必要があり、また、作業スペースが限られることもあり、設置位置が限定されるとともに設置のための空間をも必要とする上記従来のディスペンサーの使用を嫌って、かかるピロー包装の市販形態のまま作業台においてそのまま使用することが好まれる。
しかし、ピロー包装された衛生薄葉紙束をそのまま使用する場合、特に内包残数が減少してスリット２０１Ｓと束上面の距離が空いてきたときに、スリット状開封口２０１Ｓによって衛生薄葉紙を支えることができなくなり、包装内部にシートが落ち込んでしまうことがある。
そして、このときに特に濡れたり汚れたりした手を包装内に入れると、未使用で残存する束が汚染され、以降衛生的な使用ができなくなる。また、落ち込んだシートを取り出すために、外装フィルム内に手を入れて取り出す煩雑な操作が必要となることから、結果的に厨房等内における主作業の効率を低下させる場合もある。
【０００５】
他方、従来の衛生薄葉紙ディスペンサーといえば、樹脂成型によるものや金属製のものばかりであり、軽量かつハンドリングに優れ、さらに簡易かつ容易に現場で必要時に組立て、また不必要時に廃棄できるものではなかった。
【特許文献１】特開平０６−１４４４４８号公報
【特許文献２】特開２００６−２０４４０４号公報
【特許文献３】特開２００１−８７１６１号公報
【特許文献４】実用新案登録第３１３７５８２号公報
【発明の開示】
【発明が解決しようとする課題】
【０００６】
そこで、本発明の主たる課題は、省スペースで作業台等においても場所を取らず、かつ、取り出し性に優れるとともに衛生的かつ簡易に使用できる衛生薄葉紙ディスペンサー及びこれを簡易かつ容易に組立てることができるブランクシートから一体的に打ち抜かれてなる衛生薄葉紙ディスペンサー組立て用シート材を提供することにある。
【課題を解決するための手段】
【０００７】
上記課題を解決した本発明は次記の通りである。
＜請求項１記載の発明＞
一枚のブランクシートから打ち抜かれた衛生薄葉紙ディスペンサー組立て用シート材であって、
この衛生薄葉紙ディスペンサー組立て用シート材は；
台座部底側部、台座部上側部、底板部、背板部、天面部、前板部、第１フラップがこの順に連接され、
底板部の幅方向両側のそれぞれに支持部が連接され、
天面部の幅方向両側のそれぞれに側板部が連接され、
背板部及び前板部の各幅方向両側に第２フラップが連接され、
各側板部の幅方向側に第３フラップが連接され
前板部に衛生薄葉紙の取り出し口となる取り出し口形成線を有し、
天面部に蓋部形成線を有し、
台座部底側部の幅方向両側部に第１係止部を有し、
支持部には、台座部上側部がわの縁に端を有し、その端から底板部との間の連接線から遠ざかるように直線的に延在して、その連接線に対して所定角度をなす折り線と、この折り線のよりも幅方向外方に配置された前記第１係止部に係止する第２係止部とが配され、
前記台座部上側部、底板部、背板部、天面部、前板部、第１フラップの間の各連接線を谷折りして、前記第１フラップを介して前板部と底板部とを接続し、
天面部と側板部との間の連接線を谷折りして、前記第２フラップ及び第３フラップにより、底板部、背板部、天面部及び前板部で囲まれる空間の幅方向開放部分を側板部で封止し、
かつ、前記台座部底側部が底になり前記台座部上側部が上になるようにこれらの間の連接線で山折りするとともに、前記支持部と底板部との間の連接線及び支持部の折り線を山折りし、
前記支持部の折り線よりも側方部分を前記台座部底側部に重ね合わせかつ前記折り線により形成される折り筋と台座部底側片の側縁とを当接させるように、支持部の一部で台座部底側部の側縁を巻き込むとともに、この状態において底側位置において第１係止部と第２係止部とを係止することで、
前記台座部を介して水平面上に据え置いたときに、取り出し口を有する前板部が前方に傾斜する衛生薄葉紙ディスペンサーが組立てられる、
ことを特徴とする衛生薄葉紙ディスペンサー組立て用シート材。
【０００８】
（作用効果）
本発明によれば、取り出し口を有する前板部が前傾する構成の衛生薄葉紙ディスペンサーが簡易かつ容易に組立てられる。
そして、かかる衛生薄葉紙ディスペンサーは、取り出し方向が前方又は前方斜め下方向となり、従来の底面に取り出し口を有しそこから下方に衛生薄葉紙を取り出すディスペンサーと比較すると、高さを低くすることできるため極めて省スペース化される。
また、取出し口から塵や埃が入り込むことが防止されるとともに、内部に収めた束が使用に伴う引出し操作によって前板側に傾倒又は移動するので、使用後期においても取り出し口から露出すべき薄葉紙がディスペンサー内に落ち込むことがなく、取り出し性に優れしかも衛生的に使用できる。
さらに、台座部底側部と台座部上側部とで構成される台座部がディスペンサー前方に延在して存在するので、特に前方への傾倒が防止され、安定性をもってディスペンサーを据え置きにすることができる。
【０００９】
＜請求項２記載の発明＞
前記第１フラップが予め底板部に対して接着されている請求項１記載の衛生薄葉紙ディスペンサー組立て用シート材。
【００１０】
（作用効果）
糊などの接着剤を用いずに組立てることができるようになる。
【００１１】
＜請求項３記載の発明＞
底板部と台座部上側部との間の連接線又はその近傍に第１フラップが差し込み可能な切り込み線を有する請求項１記載の衛生薄葉紙ディスペンサー組立て用シート材。
【００１２】
（作用効果）
糊などの接着剤を用いずに組立てることができるようになる。
【００１３】
＜請求項４記載の発明＞
取り出し口形成線は、幅方向に延在する長手線とその長手線の両端を基端として底側部に向かって延在する短手線とからなる略コ字状をなし、前記短手線の先端同士を結ぶ線を折り線として切り起こすことで、前記取り出し口の下側縁が前側に延出して延出片が形成されるように構成されている請求項１記載の衛生薄葉紙ディスペンサー組立て用シート材。
【００１４】
（作用効果）
取り出し口から露出される衛生薄葉紙の一部が延出片により上方に向かって支持される、当該一部が摘みやすい衛生薄葉紙ディスペンサーを組立てることができる。
【００１５】
＜請求項５記載の発明＞
前記長手線の幅方向中央部に凹部形成部が形成されている請求項４記載の衛生薄葉紙ディスペンサー用組立てシート材。
【００１６】
（作用効果）
取り出し口から露出される衛生薄葉紙の一部をより一層摘みやすい衛生薄葉紙ディスペンサーを組立てることができる。
【００１７】
＜請求項６記載の発明＞
蓋部形成線の一部に摘み端部又は摘み凹部が形成されている請求項１記載の衛生薄葉紙ディスペンサー組立て用シート材。
【００１８】
（作用効果）
蓋部材形成線により形成される蓋部の開閉がしやすいものとなる。
【００１９】
＜請求項７記載の発明＞
ブランクシートが、板紙、段ボール、プラスチック段ボール、可塑性シートの何れかである請求項１記載の衛生薄葉紙ディスペンサー組立て用シート材。
【００２０】
（作用効果）
組立てが容易なものとなる。しかも、安価に製造できるとともに、破壊も容易であり、使い捨て製品に適するものとなる。また、廃棄もしやすいものとなる。
【００２１】
＜請求項８記載の発明＞
組立て後において台座部底側部を介して水平面に載置したときに、前板部と水平面との間の角度が４５〜８０度となる請求項１記載の衛生薄葉紙ディスペンサー組立て用シート材。
【００２２】
（作用効果）
当該角度の範囲であると、取り出し口からの衛生薄葉紙の引出しに起因する、内部に収めた衛生薄葉紙の束の前板側に移動・傾倒がより一層確実なものとなり、使用後期に取り出し口から露出すべき薄葉紙がディスペンサー内に落ち込むことが確実に防止されるようになり、また取り出し口が下向きになりすぎずに適度に前方に向いて衛生薄葉紙の引出し操作がしやすいものとなる。
【００２３】
＜請求項９記載の発明＞
台座部上側部から台座部底側にかけて幅方向の中央部分が刳り抜かれている請求項１記載の衛生薄葉紙ディスペンサー組立て用シート材。
【００２４】
（作用効果）
台座部上側部から台座部底側にかけて幅方向の中央部分が刳り抜かれている本発明のシート材からは、衛生薄葉紙の取り出し口が形成された前傾の前板部の幅方向中央部分の底側位置に台座部が欠損されて存在しない衛生薄葉紙ディスペンサーが組み上がる。
【００２５】
そして、この衛生薄葉紙ディスペンサーは、例えば、水や油などに濡れた手で衛生薄葉紙を引き出す操作をするさいに、意図せず手に付いた水等がしたたり落ちても台座部が汚れることがなく衛生的であり見た目にも優れる。
さらにシート材として板紙などの耐水性の低い素材を用いる場合には水によるディスペンサーの崩れも防止される。
【００２６】
＜請求項１０記載の発明＞
請求項１〜９の何れか１項に記載の衛生薄葉紙ディスペンサー組立て用シート材の組立てにより形成されたことを特徴とする衛生薄葉紙ディスペンサー。
【００２７】
（作用効果）
特に請求項１記載の発明と同様の作用効果を奏する。
【発明の効果】
【００２８】
以上のとおり、本発明によれば、省スペースで作業台等においても場所を取らず、かつ、取り出し性に優れるとともに衛生的かつ簡易に使用できる衛生薄葉紙ディスペンサー及びこれを簡易かつ容易に組立てることができるブランクシートから一体的に打ち抜かれてなる衛生薄葉紙ディスペンサー組立て用シート材が提供される。
【発明を実施するための最良の形態】
【００２９】
次いで、本発明の実施の形態を図１〜９を参照しながら以下に詳述する。
図１は、本形態の衛生薄葉紙ディスペンサー組立て用シート材１から組立てられた衛生薄葉紙ディスペンサーＸ１の斜視図である、図２は、その第１の実施の形態の衛生薄葉紙ディスペンサー組立て用シート材１の展開正面図である。図３は、図１のIII−III断面図であり、図４は、その衛生薄葉紙ディスペンサーＸ１の正面図である。図５は、使用状態の正面図であり、図６は、そのVI−VI断面図である。図７及び８は、本発明にかかる衛生薄葉紙ディスペンサーＸ１に用いられる衛生薄葉紙の束を説明するための斜視図である。
図９は、第２の実施の形態の衛生薄葉紙ディスペンサー組立て用シート材１”の展開正面図である。
図１０は、第３の実施の形態の衛生薄葉紙ディスペンサー組立て用シート材の展開正面図であり、図１１は、第３の実施の形態の衛生薄葉紙ディスペンサー組立て用シート材から組立てられる衛生薄葉紙ディスペンサーの斜視図である。
【００３０】
（第１の実施の形態）
本形態の衛生薄葉紙ディスペンサー組立て用シート材１は、その組立により図１に示される形状の衛生薄葉紙ディスペンサーＸ１が組立てられるものである。
この組立てられた衛生薄用紙ディスペンサーＸ１は、衛生薄用紙の束１００を収納する本体部１０と、本体部を支持してディスペンサー自体を据え置きにするための台座部２０とを有し、キッチン台、洗面台、手洗い場台、作業台、床などに載置して使用する据え置き型として適する。
かかる衛生薄葉紙ディスペンサーＸ１が形成される本形態の衛生薄葉紙ディスペンサー組立て用シート材１について詳述すると、まず、本シート材１は、一枚のブランクシートを打ち抜いてもしくは切り抜いて形成される平坦なシート状をなしている。ブランクシートの素材は、板紙、段ボール、プラスチック段ボール、可塑性シートなどが適する。
【００３１】
他方、このシート材１は、台座部底側部２０Ａ、台座部上側部２０Ｂ、底板部１１、背板部１２、天面部１３、前板部１４、第１フラップＦ１がこの順に連接されており、前記底板部１１、背板部１２、天面部１３、前板部１４は、それぞれ同形状の長方形をなし、その長手縁を共有して連接されている。
【００３２】
他方、第１フラップＦ１は、底板部１１、背板部１２、天面部１３、前板部１４よりも短手方向が短く先端先細の細長台形状をなしており、前記各部の連接線（本発明及び本明細書においては各部間の仮想線は連接線という）Ｌ１〜Ｌ４で９０度に折り曲げ、第１フラップＦ１の裏面（紙面裏側）を底板部１１の表面（紙面表面）に対して、第１フラップＦ１と天面部１２との間の連接線Ｌ１が、底板部１１と台座部上側部２０Ｂとの間の連接線Ｌ５と接するようにしつつ接着すると、本体部１０の一部である直方体形状の角筒状部分が形成される。
【００３３】
第１フラップＦ１の接着に関しては、シート材１の材質に応じた既知の接着剤により接着すればよい。もちろん、第１フラップＦ１に、予め両面粘着テープを配しておいたり、乾燥糊を配しておくなどすることができ、このようにすればば接着操作はより簡易なものとなる。
【００３４】
ここで、本明細書においては、特に指定がないかぎり幅方向は、台座部底側部２０Ａ、台座部上側部２０Ｂ、底板部１１、背板部１２、天面部１３、前板部１４、第１フラップＦ１の長手方向に沿う方向とし、これに直行する方向、すなわち前記各部の連接方向は短手方向とする。
【００３５】
なお、図示の本形態では、底板部１１、背板部１２、天面部１３、前板部１４の短手長さがすべて等しく、本体部１０の一部として直方体形状の角筒が形成されるようになっているが、必ずしもこのように短手長さを等しくする必要はなく、直方体形状に限らず適当な角筒が形成可能な範囲で短手長さは選択することができる。
【００３６】
ここで、各部の幅Ｗ１は、この種のディスペンサーに適する衛生薄葉紙の束であるペーパータオル束の幅が２０５〜２４５ｍｍ程度であることを考慮すると、２１０〜２５０ｍｍとするのが望ましく、また、各部の短手長さＬ２は、この種のディスペンサーに適する衛生薄葉紙の束であるペーパータオル束の厚さ６５〜８５ｍｍ程度であることを考慮すると、７０〜９０ｍｍとするのが望ましい。
【００３７】
一方、本シート材１においては、前記天面部１３の幅方向両側に側板部１５が連接され、背板部１２及び前板部１４の各幅方向両側に先端先細の細長台形状の第２フラップＦ２，Ｆ２が連接され、各側板部１５，１５の幅方向外側に先端先細の細長台形状の第３フラップＦ３が連接されている。
【００３８】
前記側板部１５は、底板部１１、背板部１２、天面部１３、前板部１４により形成される角筒の幅方向開放部の形状と同形状とされ、図示の本形態では角筒部の幅方向開放部の形状が正方形となるので、これに応じて正方形とされている。
この側板部１５及び第２及び第３フラップＦ２，Ｆ３の存在によって、前記角筒部の幅方向開放部分が封止される。すなわち、上述のように底板部１１、背板部１２、天面部１３、前板部１４、第１フラップＦ１の各部間の連接線Ｌ１〜Ｌ４の折曲げ及び第１フラップＦ１の底板部１１への接着によって本体部１０の一部である角筒部を形成したのち、前記第２フラップＦ２，Ｆ２を角筒部の内部側に折曲げ、さらにこの折曲げられた第２フラップＦ２，Ｆ２に重ねて側板部１５，１５を折曲げ、さらに第３フラップＦ３を、前記第２フラップＦ２，Ｆ２の縁と底板部１１との間に差し込むことで、角筒部の幅方向開放部が封止される。そして、この封止によってディスペンサー本体部１０が形成される。
【００３９】
他方、前記天面部１３には、本体部１０の天面に開閉可能なヒンジ蓋１３Ａを形成するための蓋部形成線１３Ｓが配されている。この蓋部形成線１３Ｓは、天面部１３における側板部１５，１５との間の連接線Ｌ６，Ｌ６及び前板部１４との間の連接線Ｌ２にそって略コ字状に配されたシート材１の表裏に通ずるスリット線であり、背板部１２との間の連接線Ｌ３もしくはこれに沿う線をヒンジとして、天面に開閉可能なヒンジ蓋１３Ａを形成する。なお、蓋部形成線１３Ｓは、スリット線に限らず、ハーフスリットやミシン目線。さらには、切断を指示する文言とともに配された印刷線などでもよい。なお、蓋部形成線１３Ｓの一部に凸状の突出させた摘み端部や、図示のような凹状に欠損させた摘み凹部１３ａを形成すると、開閉しやすいヒンジ蓋となる。
【００４０】
他方、前記台座部底側部２０Ａ及び台座部上側部２０Ｂは、衛生薄葉紙ディスペンサーＸ１の台座部２０を形成するものである。これら各部２０Ａ，２０Ｂの幅は、前記ディスペンサー本体部１０を形成する各部１１〜１４の幅と同幅とされ、短手方向長さについては、台座部上側部２０Ｂにおいては、底板部１１などと短手方向の長さも等しくされ、台座部底側部２０Ａについては、台座部上側部２０Ｂの短手長さよりも２倍〜２．５倍程度長くされている。
従って、台座部底側部２０Ａが底になり前記台座部上側部２０Ｂが上になるようにこれらの間の連接線Ｌ７で山折りすると、底板部１１、背板部１２、天面部１３、前板部１４等により構成される前記ディスペンサー本体部１０の下方にまで台座部底板部２０Ａが延在されるとともに、台座部上側部２０Ｂ及び台座部底側部２０Ａのこれと重なる部分で形成される積層部分がディスペンサー本体部１０の前側に延在される。
【００４１】
他方、前記台座部底側部２０Ａの幅方向両側部には、台座部上側部２０Ｂとの連接線Ｌ７と反対の端縁から延在する第１係止部としてのスリット線２０Ｓ，２０Ｓが配されている。この第１係止部２０Ｓ，２０Ｓは、スリット線のほか、ハーフスリットやミシン目線、さらには、切断を指示する文言とともに配された印刷線とすることができる。この第１係止部は、後述する第２係止部と係止する。
【００４２】
他方、底板部１１の幅方向両側縁にはそれぞれに略正方形状の支持部１６，１６が連接されている。なお、支持部１６，１６は正方形状に限定されない。本発明の効果を妨げない範囲で適宜の形状に設計変更可能である。
この支持部１６には、台座部上側部２０Ｂがわの縁１６Ｅに端を有し、その端から底板部１１との間の連接線Ｌ８から遠ざかるように直線的に延在して、その連接線Ｌ８に対して所定角度をなす折り線１６Ａと、この折り線１６Ａのよりも幅方向側外方に配置された前記第１係止部２０ｓに係止する第２係止部１６ｓとが配されている。なお、支持部の幅方向外側とは、支持部１６における底側部１１との連接線Ｌ８と反対側をいう。
【００４３】
ここで、例えば、支持部１６の台座部上側部２０Ｂがわ（の縁１６Ｅと、底側部１１と台座部上側部２０Ｂとの間の連接線Ｌ５とが一直線上にない形態では、前記折り線１６Ａと連接線Ｌ８は接しないこととなるため、この場合における前記所定角度とは、各線１６Ａ，Ｌ８の仮想延長線がなす角度とする。
【００４４】
折り線１６Ａは、予め折り筋が付けられた線、ミシン目線、折り曲げることを指示する文言とともに配された印刷線などである。
【００４５】
第２係止部１６ｓは、本形態では、第１係止部２０ｓとの関係で、折り線１６Ａと平行にかつ、台座部上側部２０Ｂがわから切り込まれたスリット線である。なお、この第２係止部１６ｓもまた、スリット線のほか、ハーフスリットやミシン目線、さらには、切断を指示する文言とともに配された印刷線とすることができる。
【００４６】
この構成の支持部１６，１６は、組立て後にはディスペンサー本体部１０の底側に位置して、前記ディスペンサー本体部１０をその前板部１４が前傾斜するようにして支持する部位を構成する。すなわち、組立てに際して、台座部底側部２０Ａと台座部上側部２０Ｂを重ね合わせるとともに、前記支持部１６と底板部１１との間の連接線Ｌ８，Ｌ８及び支持部１６の折り線１６Ａを山折りし、前記折り線１６Ａにより形成される折り筋と台座部底側部２０Ａの側縁とを当接させるともに、前記支持部１６の折り線１６Ａよりも幅方向側方部分１６Ｒを前記台座部底側部２０Ｂに重ね合わせるようにして支持部１６で台座部底側部２０Ａの側縁を巻き込む。そして、このとき第２係止部１６ｓと台座部底側部２０Ａの第１係止部２０ｓの切り込み開始端とが対面するためこれらを係止する。そうすると、台座部底側部２０Ａを介して水平台においたときには、支持部１６に連接する底側部１１は、背板側１２が高く、前板側１４が低くなるように傾斜して底上げされる。
そして、この底板部１１が傾斜して底上げされることに応じて、ディスペンサー本体部１０において底板部１１に連接する前板部１３が底板部１２がわよりも天面部１３がわ前方になるように前傾状態となる。
なお、第１係止部１６ｓと第２係止部２０ｓとの係止は、本形態の係止部の場合、各係止部であるスリット線を互いに差し込み合うようにすることで行う。ただし、係止方法はこれに限定されず、両係止部の係止は重なり部分の接着によって行ってもよい。
【００４７】
ここで、組立て後における前板部１３の傾斜は、好ましくは、４５〜８０度、より好ましくは５０〜６０である。この角度を達成するには、図示の本形態では、底板部１１、背板部１２、天面部１３、前板部１４が同形状でディスペンサー本体部１０が直方体形状となるように構成されているとともに支持部１６が略正方形となっていることから、折り線１６Ａの底板部１１との連接線Ｌ８に対する所定角度∠Ａを好ましく２０〜５５度、より好ましくは３０〜４０度に設定すればよい。
ただし、前板部１４の傾斜と折り線１６Ａの所定角との関係は、底板部１１、背板部１２、天面部１３、前板部１４の短手方向長さ（角各筒部の構成）及び支持部１６の形状等により変化するものである。従って、折り線１６Ａに関する前記所定角については、これらに応じて適宜、前板部１４の前傾角度が４５〜８０度となるように調整するのが望ましい。
【００４８】
他方、本シート材１は、前板部１４に衛生薄葉紙の取り出し口１４Ａとなる取り出し口形成線１４ｓが配されている。ここで、図示の本形態の取出し口形成線１４ｓは、好ましい形態として、幅方向に延在する長手線１４ｗとその長手線の両端を基端として底側部１１に向かって延在する短手線１４ｈとからなる略コ字状をなし、前記短手線１４ｈの先端同士を結ぶ線を折り線として切り起こすことで、前記取り出し口の１４Ａの下側縁が前側に延出して延出片１７が形成されるように構成されている。また、その長手線１４ｗの幅方向中央部に矩形の凹欠損形成部１７ａが形成されている。凹部欠損用形成の形状は、この矩形に限らず、例えば半円、半楕円等としてもよい。
なお、図示例の取出し口形成線１４ｓは、シート材１を貫通して設けられたスリット線であるが、スリット線のほか、ハーフスリットやミシン目線、さらには、切断を指示する文言とともに配された印刷線とすることができる。
【００４９】
以上のとおり、本形態の衛生薄葉紙ディスペンサー組立て用シート材１からは、前板部１４が前傾であり、かつ、その前傾した前板部１４に取出し口１４Ａを有する衛生薄葉紙ディスペンサーＸ１が組立てられる。
【００５０】
さらに、この組立てられた衛生薄用紙ディスペンサーＸ１についても詳述する。このディスペンサーＸ１は、主にディスペンサー本体部１０と台座部２０とで構成されるが、ディスペンサー本体部１０は、シート材の説明からも理解されるように、底板部１１、背板部１２、天面部１３、前板部１４、側板部１５等が一体となって箱形をなしたものであり、内部に衛生薄葉紙の束１００を収納可能な空間１０Ｓを形成する。
【００５１】
天面部１３には蓋部形成線１３ｓにより形成された衛生薄葉紙の束１００を内部に納めるためのヒンジ蓋１３Ａが配されている。
前板部１４は、組立て後の衛生薄葉紙ディスペンサーＸ１における高さ方向の中央部において幅方向に延在する細長状に開口する衛生薄葉紙の取り出し口１４Ａが配され、また、特徴的に前方に傾斜されている。
従って、本シート材１からなるこの衛生薄葉紙ディスペンサーＸ１では、衛生薄葉紙１０１の取り出しは、前記取り出し口１４Ａから露出する衛生薄葉紙１０１の一部１０１Ａを摘み、下方、前方又は前板部１４に対して直行する方向に引き出す操作して行なわれる。
ここで、本発明にかかる衛生薄葉紙ディスペンサーＸ１における「傾斜」とは、台座部２０（台座部底側部）を介して水平面上にディスペンサーＸ１を載置したときを基準とする。
【００５２】
ここで、先にも述べたが前記前板部１４の好適な傾斜具合は、台座部（台座部底側部）２０を介してディスペンサー自体Ｘ１を水平面上に載置したときに、前記前板部１４の傾斜∠Ｂが水平面に対して５０〜８０度となるように構成するのがよい。５０度未満となると取り出しの際に作業台などの載置面に手がつきやすくなり、効果的に衛生薄葉紙を取り出し難くなり、８０度を超えてくると内部の衛生薄葉紙の束１００が前板部１４に支持されずに背板側に傾倒して取り出し口１４Ａから遠ざかり当該一部１０１Ａがディスペンサー本体部内１０Ｓに落ち込んでしまうおそれが高まる。
【００５３】
他方、前記前板部１４には、好ましく取出し口形成線１４ｓにより形成される延出片１７が配され、取り出し口１４Ａから露出された衛生薄葉紙の一部が、その延出片１７に載って上方又は前方に突出するように支持され、本体部１０内への当該露出部分１０１Ａの落ち込みが防止されて、衛生的にかつ簡易に摘んで取り出せるようになっている。
この延出片１７は、その上縁１７ｅが前板部１４の底縁から上縁までの長さの中間位置よりも上方に位置し、また当該上縁１７ｅと前板部１４との離間距離Ｄ１は、１０〜２５ｍｍであるのが望ましい。１０ｍｍ未満であると、露出部分の取り出し性が向上し難い。２５ｍｍを超えると衛生薄葉紙の一部を支持し難くなる。この延出片１７の構成は、取出し口形成線１４ｓ及びその切り起しにより達成される。
【００５４】
さらに、本衛生薄葉紙ディスペンサーＸ１では、延出片１７の中央部に矩形に欠損された凹部形成部１７ａにより形成される凹部欠損部１７ｖが形成されており、衛生薄葉紙の露出部分１０１Ａの中央部が摘みやすくなっている。
【００５５】
なお、上述のシート材１からなる図示の衛生薄葉紙ディスペンサーＸ１では、背板部１２は前板部１４と同様の傾斜、すなわち平行となるが、本衛生薄葉紙ディスペンサーＸ１は背板部１２については、必ずしも傾斜している必要はなく、例えば、背板部１２が、台座部２０に対して垂直又は前板部１４よりも垂直に近い傾斜であれば、前方上部開口が底側に比して口広となり、衛生薄葉紙の束１００を収めやすくなる。これは、シート材１における底板部１１、背板部１２、天面部１３、前板部１４の短手長さを適宜変更することで達成できる。
【００５６】
他方、底板部１４は、組見立て後のディスペンサーＸ１では、水平面に載置した据え置き状態において、背板部１２側が高く、前板部１４側が低くなるように傾斜して配される。これにより、底板部１１に載置された束１００が適度に前板部１４側に傾倒して、前板部１４によっても支持されるようになる。なお、底板部１１と前板部１４との間の角度∠Ｃは、好ましくは１００〜８５度、特には直行しているのがよい。係る角度の調整は、これは、シート材１における底板部１１、背板部１２、天面部１３、前板部１４の短手長さを適宜変更することで達成できる。
【００５７】
一方、組立て後の衛生薄葉紙ディスペンサーＸ１を構成する台座部２０は、上述のディスペンサー本体部１０の底側に位置して、ディスペンサー本体部１０を、特に前板部１４の傾斜を維持した状態で支持するとともに作業台等に載置可能にするためのものである。
台座部２０は、平坦な台座部上側部２０Ａと台座部底側部２０Ｂとの積層により形成される底面略平坦の平板状であり、組立て状態においてディスペンサー本体部１０の側板部１５よりも底側に位置する支持部１６を介して、ディスペンサー本体部１０と連結一体化される。
【００５８】
本ディスペンサーＸ１では、主に台座部上側部２０Ｂにより、本体部１０の前板部１４の上縁より前後方向前方に至るまで延在する延在部が形成され、ディスペンサー本体部１０の自重及び取り出し時における前側への傾倒を防止しつつディスペンサー本体部１０が支持されている。
【００５９】
この台座部２０では、前記延在部の長さはＬ４（前板部の底側縁より前方に延在する部分長さ）は、好ましくは１００〜２００ｍｍとするのがよい。１００ｍｍ未満であると引出し時における傾倒防止機能が働かない場合があり、２００ｍｍを超えると設置スペースが広く必要となり好ましくない。また、前板部の上縁より前方に０〜４０ｍｍ、特には１〜３０ｍｍ延在しているのがよい。過度の延在長は設置面積を増大させ省スペースの効果が得られなくなる。これらの延在部の構成は、台座部上側部及び台座部底側部の短手長さを調整することで達成できる。
【００６０】
以上の説明の本発明のシート材１より組立てられる衛生薄葉紙ディスペンサーＸ１は、その構造から理解されるように、背景技術の欄で述べた衛生薄葉紙の束１００をその積層上面が取り出し口１４Ａに対面するようにして、ディスペンサー本体部１０の内部空間１０Ｓに収めると、束１００の自重によって取り出し口１４Ａが形成された前板側１４に若干傾倒しつつ前板部１４及び底板部１１１によって支持される。
そして、使用時に前板部１４に形成された取り出し口１４Ａから順次、一枚ずつ内部の衛生薄葉紙１００を取り出しても底側部１１の傾斜によって束が常に取り出し口近傍に位置するようになるので、使用後期に束を構成する衛生薄葉紙の枚数が減少した場合にも効果的に取り出し操作が行える。
【００６１】
なお、本発明にかかる衛生薄葉紙ディスペンサーＸ１に用いる衛生薄葉紙の束は、例えば、図７及び図８に示すような、上面にスリット状開封口２０１Ｓとなる開封用ミシン目線２０１を有する包装形態のものが利用でき、この場合、ミシン目線２０１を開封した後、樹脂製の外装フィルム２００等を剥がさずに包装されたまま収納して使用することが可能である。
【００６２】
なお、本発明のディスペンサーＸ１に用いる衛生薄葉紙としては、キッチンペーパー、ペーパータオル、手拭き用等の清拭用ワイプ、ティシュペーパー等が例示でき、特に、坪量２０〜６０ｇ／ｍ2程度のペーパータオル、キッチンペーパーに効果的である。
【００６３】
また、上述の図示の形態のシート材１では、第１フラップＦ１と底板部１１とが分離された状態のシート材について説明したが、第１フラップＦ１は、予め底板部１１に対して接着されていてもよい。この場合、底板部１１と前板部１４、及び天面部１３と背板部１２とが積層するようにすれば平坦状になってシート状となる。
【００６４】
（第２の実施の形態）
次いで、本発明の第２の実施の形態のシート材１’について説明する。第２の実施の形態にかかるシート材１’は、第１フラップＦ１，Ｆ１が小片として前板部１４の縁に断続的に形成されているとともに、底板部１１と台座部上側部２０Ｂとの間の連接線Ｌ５又はその近傍に、前記第１フラップＦ１，Ｆ１が差し込まれる切り込み線１９が形成されている形態である。その他の構成に関しては、第１の実施の形態と同様である。
この第２の実施の形態にかかるシート材１’は、底板部１１、背板部１２、天面部１３、前板部１４の各部の間の連接線Ｌ１〜Ｌ４で折曲げるとともに、第１フラップＦ１…を前記切り込み線１９に差し込むことで角筒部が形成される。
したがって、組立て作業に接着剤等が不要となるので、簡易かつ容易に組立てができるものとなる。
【００６５】
（第３の実施の形態）
次いで、本発明の第３の実施の形態のシート材１”について説明する。第３の実施の形態にかかるシート材１”は、特に図１０に示されるように、台座部上側部２０Ｂから台座部底側部２０Ａにかけてシート材１”の幅方向中央部分が矩形にくり抜かれている形態である（図中においてくり抜き部分は符号２５で示す）。なお、くり抜き部分の形状は矩形に限定されず、適宜の形状を選択できるが、円形、楕円形、さらには菱形など前後左右対象形状であるのが望ましい。そして、この場合、左右の中心線がシート材の幅方向中心、前後方向の中心が連接線Ｌ７となるように配するのが望ましい。
【００６６】
他方、くり抜き部分の幅方向長さは、シート材１”の幅方向の長さの１／３〜４／５程度とするのがよい。またくり抜き部分は、台座部上側部２０Ｂにかかる部分については底板部との連接線Ｌ５又はこの連接線Ｌ５から３０ｍｍ未満の位置から台座部底側部２０Ａとの連接線Ｌ７に至るまでの範囲、台座部底側部２０Ａにかかる部分については前記連接線Ｌ７から先端縁に向かって台座部上側部２０Ｂの短手長さと同長さ以上の長さの範囲において刳り抜かれているのが望ましい。
【００６７】
この本形態のシート材１”は、上述の第１の実施の形態において説明したのと同様に組立てると、図１１に示されるように、前傾となって前板部の幅方向中央部分の底側位置に台座部が欠損されて存在しない衛生薄葉紙ディスペンサーが組み上がる。
【００６８】
この衛生薄葉紙ディスペンサーでは、例えば、水や油などに濡れた手で衛生薄葉紙を引き出す操作をする際に、意図せず手に付いた水等がしたたり落ちても台座部が汚れることがなく、衛生的であり見た目にも優れる。また、本発明のシート材として板紙などの耐水性の低い素材を用いる場合には水によるディスペンサーの崩れも防止される。
【産業上の利用可能性】
【００６９】
本発明は、キッチンペーパー、ペーパータオル、手拭き用等の清拭用ワイプ等の衛生薄葉紙が複数枚重層された衛生薄葉紙の束を内部に収納して、取り出し口から１枚ずつ取り出せるようにした衛生薄葉紙ディスペンサーに利用可能である。
【図面の簡単な説明】
【００７０】
【図１】図１は、本形態の衛生薄葉紙ディスペンサー組立て用シート材から組立てられた衛生薄葉紙ディスペンサーＸ１の斜視図である。
【図２】第１の実施の形態の衛生薄葉紙ディスペンサー組立て用シート材の展開正面図である。
【図３】図１のIII−III断面図である。
【図４】前記衛生薄葉紙ディスペンサーＸ１の正面図である。
【図５】前記衛生薄葉紙ディスペンサーＸ１の使用状態の正面図である。
【図６】図５のVI−VI断面図である。
【図７】ピロー包装された衛生薄葉紙の束の斜視図である。
【図８】ピロー包装された衛生薄葉紙の束をそのまま使用する場合の斜視図である。
【図９】第２の実施の形態の衛生薄葉紙ディスペンサー組立て用シート材の展開正面図である。
【図１０】第３の実施の形態の衛生薄葉紙ディスペンサー組立て用シート材の展開正面図である。
【図１１】第３の実施の形態の衛生薄葉紙ディスペンサー組立て用シート材から組立てられる衛生薄葉紙ディスペンサーの斜視図である。
【符号の説明】
【００７１】
１，１’，１”…衛生薄葉紙ディスペンサー組立て用シート材、１０…ディスペンサー本体部、１０Ｓ…ディスペンサー本体部の内部空間（衛生薄葉紙の束の収納スペース）、１１…底板部、１２…背板部、１３…天面部、１３ａ…摘み用凹部、１３Ａ…ヒンジ蓋、１３ｓ…蓋部形成線、１４…前板部、１４Ａ…取り出し口、１４ｓ…取出し口形成線、１４ｗ…取出し口形成線の長手線、１４ｈ…取出し口形成線の長手線、１５…側板部、１６…支持部、１６Ａ…折り線、１６Ｅ…支持部の台座部上側部がわの縁、１６ｓ…スリット線（第２係止部）、１６Ｒ…折り線よりも外側領域、１７…延出片、１７ａ…凹欠損形成部、１７ｅ…延出片の上縁、１７ｖ…凹部欠損部、１９…切り込み線、２０…台座部、２０Ａ…台座部底側部、２０Ｂ…台座部上側部、２０Ｓ…スリット線（第１係止部）、２５…くり抜き部分、Ｆ１〜Ｆ３…第１〜第３フラップ、Ｌ１〜Ｌ８…連接線、１００…衛生薄葉紙の束、１０１…衛生薄葉紙、１０１Ａ…取り出し口から露出する衛生薄葉紙の一部、Ｗ１…前板部の幅、２００…樹脂製外装フィルム、２０１…開封用ミシン目線、２０１Ｓ…スリット、∠Ａ…折り線と連接線との間の角度、∠Ｂ…前板部と水平面との間の角度、∠Ｃ…底板部と前板部との間の角度、Ｄ１…縁出片の上縁１７ｅと前板部１４との離間距離。
【図１】
2010083525.tif 000003
【図２】
2010083525.tif 000004
【図３】
2010083525.tif 000005
【図４】
2010083525.tif 000006
【図５】
2010083525.tif 000007
【図６】
2010083525.tif 000008
【図７】
2010083525.tif 000009
【図８】
2010083525.tif 000010
【図９】
2010083525.tif 000011
【図１０】
2010083525.tif 000012
【図１１】
2010083525.tif 000013